(57)【特許請求の範囲】
【請求項１】
太陽電池等の発電手段によって充電され電源電圧が変動する蓄電器を電源とし、基準信号発生手段、時刻情報を発生する時刻情報発生手段、表示装置を有する充電式電子時計において、時刻が正しくないことを表示する信号を発生する停止警告信号発生手段、前記表示装置の表示停止中の時間経過をカウントすることができるカウンタ手段、前記蓄電器の電圧をＶとして前記充電式電子時計の正常使用状態から充電不足状態へ移行する任意の電圧をＶ１とし、前記電圧Ｖ１よりも低く前記表示装置の表示動作が停止に至る状態あるいはその寸前の電圧Ｖ２を検出する第１の状態検出手段、前記電圧Ｖ２よりも低く前記基準信号発生手段が停止に至る状態あるいはその寸前の電圧Ｖ３を検出する第２の状態検出手段とを備え、前記蓄電器の電圧Ｖが低下して前記第１の状態検出手段が前記電圧Ｖ２を検出した後で前記電圧Ｖ３を検出していない場合においては、前記表示装置の表示動作を停止させると共に前記時刻情報発生手段からの時刻情報に基づき前記カウンタ手段のカウント動作を行い、その後の再充電によって前記蓄電器の電圧Ｖが前記電圧Ｖ２以上で、且つ前記電圧Ｖ１よりも小さい任意の電圧に戻った時点を検出する表示復帰状態検出手段での復帰用電圧の検出をトリガーとし前記カウンタ手段の情報に基づき前記表示手段を正しい時刻を表示するよう復活制御させるが、前記蓄電器の電圧Ｖが更に低下して前記第２の状態検出手段が前記電圧Ｖ３を検出した後の場合においては、その後の再充電によって前記蓄電器の電圧Ｖが前記電圧Ｖ２以上の任意の電圧に戻った時点を検出する前記表示復帰状態検出手段での復帰用電圧の検出をトリガーとし前記停止警告信号発生手段からの信号に基づく停止警告表示制御を優先させる優先動作選択手段が設けられ、更に前記電圧Ｖ１の電圧を検出する充電不足状態検出手段と充電警告表示信号発生回路とが設けられ、前記充電式電子時計の正常使用状態から前記蓄電器の電圧Ｖが低下してきて前記充電不足状態検出手段が前記電圧Ｖ１を検出した後で前記第１の状態検出手段が前記電圧Ｖ２を検出していない場合においては前記表示装置を充電警告表示させ、更に前記蓄電器の電圧Ｖが低下して前記第１の状態検出手段が前記電圧Ｖ２を検出した後で前記第２の状態検出手段が前記電圧Ｖ３を検出していない場合においては、その後の再充電によって前記表示手段が正しい時刻を表示するよう前記復活制御を動作させ、前記復活制御動作が終了して前記蓄電器の電圧Ｖが前記電圧Ｖ２以上の任意の電圧以上で前記電圧Ｖ１よりも低い電圧の場合には前記表示装置を充電警告表示させる様に構成したことを特徴とする充電式電子時計。
【請求項２】
更に、使用者による前記充電式電子時計の手動スイッチ操作を検知する手動スイッチ回路を設け、前記充電式電子時計の正常使用状態から前記蓄電器の電圧Ｖが低下してきて前記充電不足状態検出手段が前記電圧Ｖ１を検出した後で前記第１の状態検出手段が前記電圧Ｖ２を検出していない場合においては前記表示装置を充電警告表示させ、その後に前記蓄電器の電圧Ｖが更に低下して前記第２の状態検出手段が前記電圧Ｖ３を検出した後の場合において、その後の再充電によって前記表示復帰状態検出手段での復帰用電圧である前記電圧Ｖ２以上の任意の電圧以上であり、かつ、前記手動スイッチ回路にて使用者の手動スイッチ操作が検知されるまでの間は前記表示装置を停止警告表示制御させる様に構成したことを特徴とする請求項１に記載の充電式電子時計。
【請求項３】
前記表示復帰状態検出手段が、前記第１の状態検出手段が前記電圧Ｖ２を検出した後の場合と、前記第２の状態検出手段が前記電圧Ｖ３を検出した後の場合とで、その後の再充電によって異なる復帰用電圧にて、表示復帰動作する様に構成したことを特徴とする請求項１あるいは２に記載の充電式電子時計。
【請求項４】
前記第１の状態検出手段が検出する前記電圧Ｖ２を前記表示復帰状態検出手段の復帰用電圧と等しい電圧とすることを特徴とする請求項１乃至３の何れかに記載の充電式電子時計。
【請求項５】
太陽電池等の発電手段によって充電され電源電圧が変動する蓄電器を電源とし、基準信号発生手段、時刻情報を発生する時刻情報発生手段、表示装置を有する充電式電子時計において、前記表示装置の表示停止中の時間経過をカウントすることができるカウンタ手段、前記蓄電器の電圧をＶとして前記充電式電子時計の正常使用状態から充電不足状態へ移行する任意の電圧をＶ１とし、前記電圧Ｖ１よりも低く前記表示装置の表示動作が停止に至る状態あるいはその寸前の電圧Ｖ２を検出する第１の状態検出手段を備え、前記蓄電器の電圧Ｖが低下して前記第１の状態検出手段が前記電圧Ｖ２を検出した場合においては、前記表示装置の表示動作を停止させると共に前記時刻情報発生手段からの時刻情報に基づき前記カウンタ手段のカウント動作を行い、その後の再充電によって前記蓄電器の電圧Ｖが前記電圧Ｖ２以上で、且つ前記電圧Ｖ１よりも小さい任意の電圧に戻った時点を検出する表示復帰状態検出手段での復帰用電圧の検出をトリガーとし前記カウンタ手段の情報に基づき前記表示手段を正しい時刻を表示するよう復活制御させ、更に前記電圧Ｖ１の電圧を検出する充電不足状態検出手段と充電警告表示信号発生回路とが設けられ、前記充電式電子時計の正常使用状態から前記蓄電器の電圧Ｖが低下してきて前記充電不足状態検出手段が前記電圧Ｖ１を検出した後で前記第１の状態検出手段が前記電圧Ｖ２を検出していない場合においては前記表示装置を充電警告表示させ、更に前記蓄電器の電圧Ｖが低下して前記第１の状態検出手段が前記電圧Ｖ２を検出した場合においては、その後の再充電によって前記表示手段が正しい時刻を表示するよう前記復活制御を動作させ、前記復活制御動作が終了して前記蓄電器の電圧Ｖが前記電圧Ｖ２以上の任意の電圧以上で前記電圧Ｖ１よりも低い電圧の場合には前記表示装置を充電警告表示させる様に構成したことを特徴とする充電式電子時計。
【発明の詳細な説明】
【０００１】
【発明の属する技術分野】
本発明は太陽電池等の発電手段によって充電される二次電池や高容量コンデンサ等の蓄電器を電源とし、電源電圧が変動する充電式電子時計に関する。
【０００２】
【従来の技術】
上記のような充電式電子時計の電源（蓄電器）の電圧は充電状態に依存して変動する。そして充電動作は規則的ではなく、悪条件下（たとえば長時間の低照度状態）ではほとんど充電が行われず時計は停止に至る可能性がある。普通充電された電気量が多いほど電源電圧は高くなる。そのような時計において、時計の表示動作を単に蓄電器の電圧（電源電圧）まかせで済ますのではなく、使用者に時計の電源の状態や停止の履歴に関する情報を与えたり、充電不足による時計の停止によるトラブルを極力避けようとしたものがあった。
【０００３】
このような充電式時計の第１の従来例が特公平7-89154 号に開示されている。この技術は、電源の充電量（電源電圧）が十分であるときは通常動作（１秒ステップ運針）、充電量が不足しかかっているときには充電警告である第１の変調運針動作（２秒ステップ運針）、更に充電量が不足して時計が止まったときは、後に充電量が回復して運針が再開していても止まりの履歴があったこと（従って指示されている時刻は遅れていること）を使用者に警告するために、第１の変調運針動作とは異なる変調がかかった、止まり警告である第２の変調運針動作をさせ、２種類の警告表示を表示するようにした時計の構成を開示している。
【０００４】
同じく充電式時計の第２の従来例が特許第2534484 号に開示されている。この技術は、充電量がステップモータによる時計の運針を維持するには不足になったが、より消費電力が小さい時計回路は動作を維持できる程度に充電量が下がった場合、運針を停止させて節電を図る一方、運針停止中の時間の回路的な計測を開始し、後に発振停止の電位に至る前に再充電されて電位が回復して再度運針が可能になったときは、前記計測値に従ってパルスモータを早送りし、停止していた指針を速やかに正しい時刻に追いつかせるようにした時計の構成を開示している。
【０００５】
【発明が解決しようとする課題】
これらの従来技術には、それぞれ長所はあるものの、問題点がある。第１の従来例では、時計に充電警告表示のみならず発振停止に至った場合も含め停止した履歴があることの停止警告表示をも警告表示させる点は非常に優れているが、電圧復帰後の時刻の回復については言及がない。
【０００６】
また第２従来例では、正しい時刻への復帰を考慮し、使用者の時刻合わせ操作の面倒を極力省いた点は優れるが、電圧が更に低下して発振停止に至った場合には正しい時刻への復帰はされず、また正しい時刻でない事を使用者に積極的に知らせるには至っていない不満がある。
【０００７】
本発明の目的は、前記いずれの従来例も一長一短であることに鑑み、両者の長所を積極的に融合し発揮させた充電式電子時計の技術を提供すること、即ち電源電圧降下がモータ駆動はできなくなるが回路の停止には至らない場合には電圧復帰後表示を正しい時刻に復帰せしめ、回路の停止に至る電圧降下があった場合には電圧復帰後停止警告表示を行わせる機能を有する充電式時計の構成を提示し、もって最大限に使用者の便宜を図った製品を実現させることにある。
【０００８】
【課題を解決するための手段】
本発明は、太陽電池等の発電手段によって充電され電源電圧が変動する蓄電器を電源とし、基準信号発生手段、時刻情報を発生する時刻情報発生手段、表示装置を有する充電式電子時計において、時刻が正しくないことを表示する信号を発生する停止警告信号発生手段、前記表示装置の表示停止中の時間経過をカウントすることができるカウンタ手段、前記蓄電器の電圧をＶとして前記充電式電子時計の正常使用状態から充電不足状態へ移行する任意の電圧をＶ１とし、前記電圧Ｖ１よりも低く前記表示装置の表示動作が停止に至る状態あるいはその寸前の電圧Ｖ２を検出する第１の状態検出手段、前記電圧Ｖ２よりも低く前記基準信号発生手段が停止に至る状態あるいはその寸前の電圧Ｖ３を検出する第２の状態検出手段とを備え、前記蓄電器の電圧Ｖが低下して前記第１の状態検出手段が前記電圧Ｖ２を検出した後で前記電圧Ｖ３を検出していない場合においては、前記表示装置の表示動作を停止させると共に前記時刻情報発生手段からの時刻情報に基づき前記カウンタ手段のカウント動作を行い、その後の再充電によって前記蓄電器の電圧Ｖが前記電圧Ｖ２以上で、且つ前記電圧Ｖ１よりも小さい任意の電圧に戻った時点を検出する表示復帰状態検出手段での復帰用電圧の検出をトリガーとし前記カウンタ手段の情報に基づき前記表示手段を正しい時刻を表示するよう復活制御させるが、前記蓄電器の電圧Ｖが更に低下して前記第２の状態検出手段が前記電圧Ｖ３を検出した後の場合においては、その後の再充電によって前記蓄電器の電圧Ｖが前記電圧Ｖ２以上の任意の電圧に戻った時点を検出する前記表示復帰状態検出手段での復帰用電圧の検出をトリガーとし前記停止警告信号発生手段からの信号に基づく停止警告表示制御を優先させる優先動作選択手段が設けられ、更に前記電圧Ｖ１の電圧を検出する充電不足状態検出手段と充電警告表示信号発生回路とが設けられ、前記充電式電子時計の正常使用状態から前記蓄電器の電圧Ｖが低下してきて前記充電不足状態検出手段が前記電圧Ｖ１を検出した後で前記第１の状態検出手段が前記電圧Ｖ２を検出していない場合においては前記表示装置を充電警告表示させ、更に前記蓄電器の電圧Ｖが低下して前記第１の状態検出手段が前記電圧Ｖ２を検出した後で前記第２の状態検出手段が前記電圧Ｖ３を検出していない場合においては、その後の再充電によって前記表示手段が正しい時刻を表示するよう前記復活制御を動作させ、前記復活制御動作が終了して前記蓄電器の電圧Ｖが前記電圧Ｖ２以上の任意の電圧以上で前記電圧Ｖ１よりも低い電圧の場合には前記表示装置を充電警告表示させる様に構成したことを特徴とする充電式電子時計である。
【０００９】
また本発明は、太陽電池等の発電手段によって充電され電源電圧が変動する蓄電器を電源とし、基準信号発生手段、時刻情報を発生する時刻情報発生手段、表示装置を有する充電式電子時計において、前記表示装置の表示停止中の時間経過をカウントすることができるカウンタ手段、前記蓄電器の電圧をＶとして前記充電式電子時計の正常使用状態から充電不足状態へ移行する任意の電圧をＶ１とし、前記電圧Ｖ１よりも低く前記表示装置の表示動作が停止に至る状態あるいはその寸前の電圧Ｖ２を検出する第１の状態検出手段を備え、前記蓄電器の電圧Ｖが低下して前記第１の状態検出手段が前記電圧Ｖ２を検出した場合においては、前記表示装置の表示動作を停止させると共に前記時刻情報発生手段からの時刻情報に基づき前記カウンタ手段のカウント動作を行い、その後の再充電によって前記蓄電器の電圧Ｖが前記電圧Ｖ２以上で、且つ前記電圧Ｖ１よりも小さい任意の電圧に戻った時点を検出する表示復帰状態検出手段での復帰用電圧の検出をトリガーとし前記カウンタ手段の情報に基づき前記表示手段を正しい時刻を表示するよう復活制御させ、更に前記電圧Ｖ１の電圧を検出する充電不足状態検出手段と充電警告表示信号発生回路とが設けられ、前記充電式電子時計の正常使用状態から前記蓄電器の電圧Ｖが低下してきて前記充電不足状態検出手段が前記電圧Ｖ１を検出した後で前記第１の状態検出手段が前記電圧Ｖ２を検出していない場合においては前記表示装置を充電警告表示させ、更に前記蓄電器の電圧Ｖが低下して前記第１の状態検出手段が前記電圧Ｖ２を検出した場合においては、その後の再充電によって前記表示手段が正しい時刻を表示するよう前記復活制御を動作させ、前記復活制御動作が終了して前記蓄電器の電圧Ｖが前記電圧Ｖ２以上の任意の電圧以上で前記電圧Ｖ１よりも低い電圧の場合には前記表示装置を充電警告表示させる様に構成したことを特徴とする充電式電子時計である。
【００１０】
【発明の実施の形態】
図１は本発明の実施の形態の一例の回路構成のブロック線図、図２は図１における基準信号停止記憶回路の詳細図、図３は図１におけるパルスモータ停止記憶回路の詳細図、図４は基準信号停止記憶回路における主要電圧波形図、図５は図１における各種表示駆動信号の波形図、図６は図１における電源電圧の変化と時計状態の関係を示した状態説明図である。
【００１１】
図１において、３は蓄電器であり、たとえば周知の太陽電池等の発電手段と、逆流防止ダイオード、ツェナーダイオード等の過充電防止用素子とを組み合わせた充電装置が付加されている。そして所定以上の光量があるとき充電が行われて、充電された電気量と共に電圧が上昇する。そして時計装置５全体の電源としてＶDDとＶSSを供給する。
【００１２】
時計装置５の内部の主要な回路と動作について説明する。大体の順序は基準や各種表示用の信号発生回路、駆動回路、時計の種々の状態に対応する制御信号の発生回路、現在時刻復活動作、停止警告の優先動作とする。
【００１３】
６は基準信号発生回路で、基準信号Ｐ６の信号群（時間基準から得た周期の異なる複数のパルスを含む）を出力する。10は１秒信号発生回路で、通常運針信号である１秒ステップパルスＰ10（正確な時刻情報信号）を常時出力し、この出力はセレクタである第１選択回路13のＡ入力端子へ入力されている。セレクタとは、そのＣ端子への入力が "H"レベルのときＡ入力が、 "L"レベルのときＢ入力選択されてＱ端子に出力される制御回路である。
【００１４】
11は充電警告信号発生回路で、使用者に時計を充電されるような状態にすること（例えば充電手段として太陽電池を有する時計の場合には光を当てる、自動巻発電式時計の場合には時計を携帯して振動を与える等）を促すための充電警告信号である、２秒ステップ駆動を行わせる２秒ステップパルスＰ11（例えば40ｍｓ間隔の一対の駆動パルスを２秒おきに発生する正確な時刻情報信号）を任意の基準信号Ｐ６に基づいて作成し出力する。この出力は第１選択回路13のＢ入力端子に入力されている。第１選択回路13のＱ端子からの出力信号Ｐ13は１秒信号Ｐ10あるいは充電警告信号Ｐ11のいずれかであるが、セレクタである第２選択回路14のＢ入力端子およびアンドゲート115を経て後述する経過時間カウンタ105計数入力端子に入力されている。本実施例では、正確な時刻情報信号を出力する充電警告信号発生回路11と前記１秒信号発生回路10とにより時刻情報発生手段を形成する。
【００１５】
12は停止警告信号発生回路で、使用者に時計の止まりがあったことを知らせるための停止警告信号である、前記２秒ステップ駆動と異なる不等速に変調された変則２秒ステップパルスＰ12（例えば40ｍｓ間隔の駆動パルスと 250ms間隔の駆動パルスを２秒間隔で交互に発生するが時計の止まりがあったので正確な時刻情報信号ではない）を所定の基準信号Ｐ６に基づいて作成し出力する。この出力は第２選択回路14のＡ入力端子に入力され、またＢ入力端子には第１選択回路13のＱ出力信号Ｐ13が入力されている。第２選択回路14のＱ出力信号Ｐ14はアンドゲート116 を経てセレクタである第３選択回路109 のＢ入力端子に入力されている。
【００１６】
102 は早送り信号発生回路で、通常の64倍の速さで指針を駆動し指示時刻の遅れを速やかに回復するための、64Hzの早送りステップパルスＰ102 を所定の基準信号Ｐ６に基づいて出力する。この早送りステップパルスＰ102 はアンドゲート114 を経て駆動パルスカウンタ104 の計数入力端子に入力され、また更にアンドゲート108 を経てセレクタである第３選択回路109 のＡ入力端子に入力されている。第３選択回路109 のＱ端子からの出力信号Ｐ109 は結局、１秒信号Ｐ10、充電警告信号である２秒ステップパルスＰ11、停止警告信号である変則２秒ステップパルスＰ12、早送りステップパルスＰ102 のいずれかが選択出力される事となり、それが最終的に選択された駆動パルス信号Ｐ109 としてモータ駆動回路15のＩ入力端子の入力となる。なお前記第２選択回路14、アンドゲート116 、第３選択回路109 は基準信号の停止に至る電圧効果があった場合には再充電による電圧復帰後に停止警告表示を優先させるという優先順位を決定する優先動作選択手段である優先動作選択回路120 を構成する。
【００１７】
モータ駆動回路15はＩ端子に入力した駆動信号を２極のパルスモータに適した双極性の駆動パルスＰ15に変換してＱ端子から出力する。その他、動作を固定するためのリセット入力端子Ｒ、ロータの運動によりモータのコイルに発生する誘起電圧を検出するタイミングを与えるストローブ信号の入力端子Ｎ、検出された誘起電圧を出力するＺ端子を備えており、これらに関連する機能動作も行う。このような構成は、普段最小限のエネルギでモータを駆動し止りを検出したら駆動エネルギを増して再駆動を達成させる常時節電の機能（いわゆる負荷補償機能）を持った時計の構成と共通性が高く、既に公知技術に属する。17は２極に磁化された永久磁石のロータを有する公知のパルスモータ、18はパルスモータに駆動される指針つき輪列である運針表示装置である。
【００１８】
20は手動スイッチ回路であり、リューズの出し入れ操作によって状態を変え、リューズが引かれている時 "H"レベルのリセット用信号P20 を出力する。リセット用信号P20 は、基準信号停止記憶回路８、経過時間カウンタ105 と駆動パルスカウンタ104 、モータ駆動回路15のリセット端子Ｒに、またオアゲート110 を経て後述する第２分周回路63のリセット端子Ｒに、またオアゲート111 を経てＤ-FF112のリセット端子Ｒに、またオアゲート111 とオアゲート119 を経てパルスモータ停止記憶回路９、のリセット端子Ｒに印加され、これらの回路を初期論理状態に戻し、カウンタ回路は御破算にし、基準信号やモータの停止の記憶を消去する。そして蓄電器３の電源電圧が正常な状態で表示を手動針合わせし、その後でリューズを押し込むと、リセットされていた各回路の拘束が一斉に解かれ、時計動作が初期状態からスタートする。
【００１９】
７は充電不足状態検出手段であるＶ1 検出回路で、蓄電器３の電源電圧が時計の通常使用状態から充電を必要とする状態へ移行する、即ちこれより降下すると時計を充電が行われる状態にするように使用者に促す電圧Ｖ1 よりも電源電圧が高い状態ではＶ1 検出信号Ｐ7 を "H"レベルで出力する。この出力は第１選択回路13のＣ入力であり、該セレクタは通常状態用の１秒ステップパルスＰ10を選択している。しかし電圧が降下してＶ1 検出信号Ｐ7 が "L"レベルになると、１秒ステップパルスＰ10に代わってＢ入力の２秒ステップパルスＰ11がＱ端子から選択出力される。
【００２０】
表示復帰状態検出手段であるＶ4 検出回路101 は、蓄電器の電圧（電源電圧）ＶがＶ1 よりはかなり低いがパルスモータ17が停止（駆動不能）になる電圧の上限Ｖ2 よりやや上であるように本実施例では設定した運針復帰用電圧Ｖ4 を検出し、Ｖ4 検出信号Ｐ101 は電源電圧がＶ4 より上では "H"レベル、下では "L"レベルである。信号Ｐ101 はデータタイプフリップフロップ112(以下Ｄ-FF112) のCL端子に入力している。Ｄ-FF112はCL端子に入力する信号の立ち上がりのタイミングでＤ端子に常時与えられているＶDD電位を読み込み、Ｑ端子に "H"レベルの信号を出力するが、段落〔００１７〕で述べたように手動スイッチ回路20によりリセットされかつそれが解除された状態では既に電源電圧はＶ4 を上回っていたから、Ｄ-FF112のＱ出力信号Ｐ112 は "L"レベルからスタートし、以後そのままである。Ｑ出力信号Ｐ112 が "H"レベルに変化するのは電源電圧ＶがＶ2 あるいはＶ3 より降下したＶ＜Ｖ4 の状態になった後に再充電により上昇して再びＶ4 を越えた時のみである。信号Ｐ112 は３入力アンドゲート113 の入力の一つであり、アンドゲート113 の出力Ｐ113 は更にアンドゲート114 を開閉して早送りパルスＰ102 の通過を制御すると共に第３選択回路109 のＣ入力ともなっている。また信号Ｐ112 はアンドゲート117 にも入力され、その出力Ｐ117 はオアゲート111 を経て信号Ｐ111 としてＤ-FF112のリセット端子Ｒに入力されている。さらには信号Ｐ112 はアンドゲート118 にも入力され、その出力信号Ｐ118 はオアゲート119 を経て信号Ｐ119 としてパルスモータ停止記憶回路９のリセット端子Ｒに入力されている。
【００２１】
第２の状態検出手段である基準信号停止記憶回路８は、前記基準信号発生回路６の第１分周回路62の512Hz 出力信号Ｐ62と第２分周回路63の1/2Hz 出力信号Ｐ63とを用いて基準信号発生回路６の時間基準61の発振動作を監視している。もし発振が停止したときは直ちに停止検出信号Ｐ81をＫ端子から出力し、オアゲート110 を経由して第２分周回路63をリセットする。基準信号停止記憶回路８は発振が止まったことを記憶しており、後刻電源電圧が回復し発振が復活するとそこで "H"レベルの基準信号停止記憶信号Ｐ8 を出力する。この信号は第２選択回路14のＣ端子に作用して停止警告信号である変則２秒ステップパルスＰ12を信号Ｐ14として選択させる。また、インバータ99によって反転された信号Ｐ99が作成され、信号Ｐ99がアンドゲート113 および115 への入力されており、信号Ｐ8 が "H"レベル（発振停止があった状態）では信号Ｐ99は "L"レベルとなりこれらのゲートを閉じる役割を果たす。なお基準信号停止記憶回路８の詳細について別途図２を用いて説明する。
【００２２】
第１の状態検出手段であるパルスモータ停止記憶回路９は、パルスモータ17が正常に動作したかの検出をモータ駆動回路15と信号のやり取りを行って監視している。Ｃ端子にはＶ1 検出回路7 の出力信号P7をINV4にて反転した信号P4が入力されており、Ｖ1 検出回路7 の出力信号P7が "L"レベル（信号P4が "H"レベル）の電源電圧がＶ1 より低下している状態でのみ、パルスモータ停止記憶回路９は、パルスモータ17が正常に動作したかの検出及び記憶機能が作動する。（逆に、Ｖ1 検出回路7 の出力信号P7が "H"レベル即ち信号P4が "L"レベルの電源電圧がＶ1 より高い状態ではパルスモータ停止記憶回路９の検出及び記憶の回路動作を禁止している）モータ駆動回路15に駆動パルス信号Ｐ109 が与えられた直後、ロータに残留する振動によってコイルに発生する誘起電圧の時間的変化を観測して正常に回転したか非回転かを判定する。パルスモータ停止記憶回路９は、Ｅ端子へ前記基準信号Ｐ６に基づいての所定のタイミングで誘起電圧を取り出すための幾つかのストローブ信号Ｐ91を作成してＧ端子より出力しモータ駆動回路15のＮ端子に与え、モータ駆動回路15はその各瞬間における誘起電圧値をＺ端子より一連の誘起電圧信号Ｐ51として出力し、パルスモータ停止記憶回路９のＹ端子に返す。誘起電圧信号Ｐ51と充電警告信号発生回路11からの２秒ステップパルスＰ11とによりロータ非回転と検出判断するとその事を記憶し、出力端子Ｑに "H"レベルのパルスモータ停止記憶信号Ｐ9 を出力する。信号Ｐ9 はそのままアンドゲート113 および115 に入力される他、インバータ103 で反転された信号Ｐ103 がアンドゲート116 に入力される。アンドゲート116 は、パルスモータ停止記憶回路９がパルスモータの停止を記憶しＰ9 が "H"レベルになった時すなわちが信号Ｐ103 が "L"レベルとなった時に、第２選択回路のＱ出力信号Ｐ14が第３選択回路109 のＢ入力端子に入力されるのを阻止するものである。なおパルスモータ停止記憶回路９の詳細について別途図３を用いて説明する。
【００２３】
次に電源電圧Ｖが降下し、Ｖ2 を下回ってパルスモータの停止があったが基準信号の停止はなかった状態から電圧がＶ4 に復帰したとき、表示の早送りにより正しい時刻を再現させ、以後電圧が正常値に戻るまでは充電警告状態となるが、その場合の回路動作について説明する。
【００２４】
まず電源電圧ＶがＶ2 を下回っただけでは基準信号停止記憶回路８のＱ出力信号Ｐ8 は "L"レベルのまま（その反転信号Ｐ99は "H"レベル）であるが、パルスモータ停止記憶回路のＱ出力Ｐ9 がパルスモータの停止により "H"レベルに変化すると、直ちに３入力アンドゲート115 の下の２入力が "H"レベルになり他の入力信号Ｐ13（電源電圧ＶがＶ2 を下回っている状態では当然Ｖ1 を下回っているので第１選択回路13により電源電圧降下時に選択されている２秒ステップパルスＰ11である）をＰ115 として通過させる。信号Ｐ115 はカウンタ手段である経過時間カウンタ105 の計数入力であるので、カウンタ105 はパルスモータ17の停止後直ちに充電警告信号である２秒ステップパルスＰ11を用いて経過時間のカウントを開始する。経過時間カウンタ105 のフルカウント値は指針全体の回転周期に等しく、例えば１２時間分の１秒駆動パルス数である43200 であり、フルカウントに達するとまたゼロからの計数を繰返す。
【００２５】
この状態で電源電圧Ｖが下から徐々に復帰してきてＶ4 に達し、Ｄ-FF112のＱ出力Ｐ112 が "L"レベルから "H"レベルになると（段落番号〔００１９〕参照）、信号Ｐ112 、Ｐ99、Ｐ9 の３入力がすべて "H"レベルとなるためアンドゲート113 の出力Ｐ113 は "H"レベルとなりこれがアンドゲート114 を開いて早送り信号Ｐ102 を出力信号Ｐ114 として通過させる。該信号Ｐ114 は駆動パルスカウンタ104 （そのフルカウント値は経過時間カウンタ105 のものと等しい）の計数入力であると共にアンドゲート108 の一方の入力にもなっている。
【００２６】
駆動パルスカウンタ104 は、先に電源電圧がＶ2 を切ると同時に計数をスタートしていた経過時間カウンタ105 を追って64Hzの速度で急速に計数を進める。一致検出回路106 は両者のカウント値を比較しており、その出力信号Ｐ106 は両カウント値が不一致状態では "L"レベル、一致状態では "H"レベルである。経過時間カウンタ105 と駆動パルスカウンタ104 とは初期状態ではリセットされ（段落番号〔００１７〕参照）ていて両カウント値は共にゼロであるから一致検出回路106 の出力信号Ｐ106 は "H"レベル、経過時間カウンタ105 の計数中は両カウントは不一致で信号Ｐ106 は "L"レベル、早送りにより両カウントが追いつくと信号Ｐ106 は再び "H"レベルとなる。信号Ｐ106 はインバータ107 で反転された信号Ｐ107 となってアンドゲート108 の一方の入力となっている。従って両カウンタ104 、105 のカウント値が不一致の期間だけアンドゲート108 は開き、早送り信号Ｐ114 を第３選択回路109 のＡ入力端子に入力する。第３選択回路109 においてはＣ端子入力はアンドゲート113 の出力信号Ｐ113 であって "H"レベルであるからＡ入力が選択され、Ｑ出力端子からの駆動パルス信号Ｐ109 は早送り信号Ｐ108 であり、これがモータ駆動回路のＩ入力となって対応する駆動信号Ｐ15に変換されるので、パルスモータ17は停止していた状態から正しい現在時刻（厳密に言えば本実施例では早送り信号が追従するのは通常１秒運針信号ではなく２秒ステップパルスであるので２秒運針表示状態で正しい現在時刻というべきであるが）に早送り駆動されて追いつく動作を行う。
【００２７】
カウント値が追いつくと一致検出回路106 の出力信号Ｐ106 は "H"レベルに転じ、アンドゲート108 は閉じられ第３選択回路109 のＡ入力への早送りパルスＰ108 の供給は断たれる。一方信号Ｐ106 と電源電圧がＶ4 に達したため "H"レベルになっている信号Ｐ112 （早送りによる若干の電圧降下のためＶ4 検出回路101 の出力信号Ｐ101 は "L"レベルに戻っているとしても、Ｄ-FF112のラッチ作用により信号Ｐ112 は "H"レベルを維持している）を入力とするアンドゲート117 の出力Ｐ117 は "H"レベルとなり、オアゲート111 を経てＤ-FF112のリセット端子Ｒを、オアゲート111 及びオアゲート119 を経てパルスモータ停止検出回路９のリセット端子Ｒに作用しこれらをリセットする。Ｄ-FF112のリセットにより "L"レベルとなった信号Ｐ112 はアンドゲート113 の出力信号Ｐ113 を "L"レベルとする。これはアンドゲート114 を閉じて早送りパルス102 の通過（駆動パルスカウンタ104 およびアンドゲート108 への）を阻止すると共に、第３選択回路109 のＣ端子に作用してＢ入力を選択させる。Ｂ入力はパルスモータ停止記憶回路９がリセットされたため "L"レベルとなったＰ9 の反転出力Ｐ103 により開かれたアンドゲート116 を通過した第２選択回路14の出力信号Ｐ14が駆動パルス信号Ｐ109 として選択出力される。この時、電源電圧がまだＶ1 を下回っている状態だは第１選択回路13によって選択された充電警告信号である２秒ステップパルスＰ11を、電源電圧がかなり充電されてＶ1 を上回っている状態だは第１選択回路13によって通常１秒運針信号である１秒ステップパルスＰ10が駆動パルス信号Ｐ109 として選択出力される。そして第３選択回路のＱ出力信号である駆動パルス信号Ｐ109 としてモータ駆動回路15に印加され、運針表示装置18に状態によって所定の運針にて正しい現在時刻表示を行う。
【００２８】
次に、電源電圧の降下が更に深く、Ｖ3 を切って時間基準61の発振停止が起こった後に電圧がＶ4 まで回復した場合には、早送りによる現在時刻の回復は不可能になっているのでこれを行わず、以後電圧の更に充電回復してＶ1 を上回ってもで停止警告表示の継続を行うが、その場合の回路動作について以下に述べる。
【００２９】
発振停止が起こると直ちに基準信号停止記憶回路８のＫ端子から信号Ｐ81が生じて第２分周回路63をまずリセットし（段落〔００２０〕参照）、その後ほぼ全部の回路はクロック信号の停止のため停止状態に入り、電力消費はほとんど無くなる。やがて再充電により電源電圧がＶ3 よりも上昇すると時間基準61の発振が再開し、回路動作が復活する。このとき基準信号停止記憶回路８のＱ出力Ｐ8 は "H"レベルである。インバータ99によるその反転信号Ｐ99は、アンドゲート113 の出力Ｐ113 を "L"レベルとして早送りパルスＰ102 のアンドゲート114 の通過を阻止し、一方アンドゲート115 を閉じてカウンタ手段である経過時間カウンタ105 への入力Ｐ114 をも阻止し、経過時間カウンタ105 のカウント動作を中止させる。従って経過時間カウンタ105 は既に（Ｖ＜Ｖ2 になると共に）開始していた計数を停止する。前記アンドゲート113 の制御に基づき64Hzの早送り信号がＰ114 として出力されないので駆動パルスカウンタ104 は計数入力がなくカウント動作は行われず表示の早送りも行われない。この状態では一致検出回路106 は不一致でその出力Ｐ106 は "L"レベルである。また "H"レベルとなった信号Ｐ8 は第２選択回路14のＣ端子に印加され、Ａ端子入力の停止警告信号である変則２秒ステップ信号Ｐ12を選択し、Ｑ出力信号Ｐ14として出力するが、まだパルスモータ停止記憶状態のため信号Ｐ9 は "H"レベル、その反転信号Ｐ103 は "L"レベルであるためアンドゲート116 は閉鎖されるから、第３選択回路109 がＣ端子の "L"レベルによってＢ端子入力のＰ116 を選択していてもＱ出力Ｐ109 は "L"レベルのままでモータ駆動回路15への駆動入力はない。
【００３０】
しかし電源電圧ＶがＶ4 に（下から）達するとまずＶ4 検出回路101 の出力Ｐ101 が "H"レベルになり、その変化をＤ-FF112が読み取ってＰ112 を "H"レベルに変える。信号Ｐ112 と基準信号停止記憶のため "H"レベルとなっている信号Ｐ8 を２入力とするアンドゲート118 の出力Ｐ118 が "H"レベルとなり、オアゲート119 を経由した信号Ｐ119 がパルスモータ停止記憶回路９をリセットし、信号Ｐ9 を "L"レベルとする。信号Ｐ9 の反転信号Ｐ103 はアンドゲート116 を開き、第２選択回路14によって選択されていたＡ端子入力信号Ｐ12（停止警告信号である変則２秒ステップパルス）をＰ116 として通過させる。第３選択回路109 は信号Ｐ113 がこの状態では "L"レベルのためＢ端子入力を選択しているので、信号Ｐ116 がすなわち変則２秒ステップパルスＰ12が駆動回路15への駆動入力信号（Ｉ端子入力）である駆動パルス信号Ｐ109 となり、表示は変則２秒ステップ運針となる。この停止警告表示状態は電源電圧Ｖが更に上昇しＶ1 を越えるまで再充電されても変化しない。そして、停止警告表示状態である変則２秒ステップ運針は前記手動スイッチ回路20からの信号Ｐ20によって基準信号停止記憶回路８はリセットされ基準信号停止記憶信号Ｐ8 が "L"レベルとなる事で解除される。それは、即ち手動スイッチであるリューズを引いて時刻合わせ操作をした事によって解除される。以上で図１のブロック図の説明を一応終り、以下基準信号停止記憶回路８と、パルスモータ停止記憶回路９の内部構成を説明する。
【００３１】
まず基準信号停止記憶回路８の詳細な構成を図２によって説明する。基準信号停止記憶回路８は停止検出信号Ｐ81を出力する停止検出部81と基準停止記憶信号Ｐ8 を出力する記憶部82より構成されている。
【００３２】
停止検出部81は、INV83a-83Cと排他論理ゲート84a(以下EXOR84a)とNchCMOS トランジスタ85a(以下CMOSTR85a)とコンデンサ87a,87b と抵抗86a,86b により構成されている。INV83aの入力端子は前記入力端子Ｄに接続されているので第１分周回路62からの基準信号Ｐ62が入力される。INV83aの出力端子は抵抗86a とコンデンサ87a により構成される積分回路を介してINV83bの入力端子に接続されている。この結果INV83bの出力端子からは前記積分回路のディレイ時間分だけ基準動作信号Ｐ62に対して遅れたディレイ信号Ｐ83が出力される。EXOR84a の一方の入力端子にはこのディレイ信号Ｐ83が入力され、他方の入力端子はＤ端子から基準動作信号Ｐ62が入力される。この結果EXOR84a の出力端子からは両入力信号の時間差分の幅を持つヒゲ信号Ｐ84が出力される。この出力信号Ｐ84はCMOSTR85a のゲートに、またINV83cを経てCMOSTR85a のソースに入力している。またCMOSTR85a のバルクはそのドレイン出力と共通であり、ドレイン出力はコンデンサ87b と抵抗86b により構成されるチャージ・ポンプ回路を介して停止検出信号Ｐ81を出力し、この停止検出信号Ｐ81は基準信号停止記憶回路8 の出力端子Ｋから出力される。
【００３３】
記憶部82は２入力ノアゲート88a,88b(以下NOR88a,88b) とデータタイプフリップフロップ89a(以下Ｄ-FF89a) により構成される。NOR88aとNOR88bとはラッチ回路を構成し、ラッチ回路のセット入力であるNOR88aの一方の入力端子は入力端子Ｔにに接続されており第２分周回路63からの記憶タイミング信号Ｐ63が入力され、またラッチ回路のリセット入力であるNOR88bの一方の入力端子には前記停止検出部81からの停止検出信号Ｐ81が入力される。またラッチ回路の出力であるNOR88bの出力端子からはラッチ信号Ｐ88が出力される。Ｄ-FF89aの入力端子Ｒは基準信号停止記憶回路８の入力端子Ｒに接続されているので、手動スイッチ回路20からのリセット信号Ｐ20が入力されるとＱ出力は "L"レベルとなる。また入力端子CKにはNOR88bからのラッチ信号Ｐ88が入力されている。また入力端子Ｄは電源端子ＶDDに接続されて常に "H"レベルであり、入力端子CKへの信号の立ち上がり動作で入力端子Ｄのデータ（ここでは常に "H"レベル）を読み込み、出力端子Ｑに "H"レベルの基準停止記憶信号Ｐ8 を出力する。この基準停止記憶信号P8は基準信号停止記憶回路８の出力端子Ｑに出力される。
【００３４】
次にパルスモータ停止記憶回路９の更に詳細な説明を図３を用いて行う。この回路はストローブ信号作成部91とパルスモータ停止検出部92とパルスモータ停止記憶部93より構成されている。
【００３５】
Ｃ端子を介してストローブ信号作成部91とパルスモータ停止検出部92に、Ｖ1 検出回路7 の出力信号P7をINV4にて反転した信号P4が入力されている。またストローブ信号作成部91は基準信号Ｐ6 に基づいてパルスモータ17のコイルに発生する誘起電圧を所定のタイミングで取り出すためのストローブ信号Ｐ91を作成し、パルスモータ停止記憶回路９の出力端子Ｇに出力する。パルスモータ停止検出部92は、このストローブ信号Ｐ91と入力端子Ｆを介して入力される２秒ステップパルスＰ11と、入力端子Ｙを介して入力されるモータ駆動回路15からの前記誘起電圧信号Ｐ51に基づいてモータ回転の成否を判定し、パルスモータ停止検出信号Ｐ92を出力する。この信号Ｐ92によってモータの非回転即ち停止を検出すると、パルスモータ停止記憶部93はその事を記憶して "H"レベルのパルスモータ停止記憶信号Ｐ9 をパルスモータ停止記憶回路９の出力端子Ｑに出力する。またパルスモータ停止記憶部93にはオアゲート111 及びオアゲート119 を介して手動スイッチ回路20からのリセット信号Ｐ20がＰ119 として入力されているので、リューズを引くと前記パルスモータ停止記憶信号Ｐ9 は "H"レベルから "L"レベルにリセットされる。
【００３６】
次に基準信号停止記憶回路8 の動作について図４の電圧波形図を用いて、タイミングを加味して本実施の形態の動作を再度説明する。図においてt1からt7まではそれぞれタイミングを表す。t1までは基準信号発生回路６は正規の動作をしており512Hz の基準動作信号Ｐ62を出力している。t1からt3までの期間では蓄電器３の電圧の極端な低下などの原因により基準信号発生回路6 が停止し基準動作信号Ｐ62が止まっている状態であり、そしてt3以降は電圧の回復により基準信号発生回路6 の動作が再開して基準動作信号Ｐ62が復活している。
【００３７】
まずt1までを説明する。基準動作信号Ｐ62と、図２におけるそのディレイ信号Ｐ83の時間差から上向きのヒゲ信号Ｐ84が作りだされる。これより段落番号〔００２３〕にて述べた基準信号停止記憶回路８の停止検出部81（図２）の内部の動作によってコンデンサ87b はチャージ状態を維持するため、停止検出信号Ｐ81は基準信号発生回路６の正常動作を示す "L"レベルとなっている。
【００３８】
次にタイミングt1からt3までを説明する。t1で基準信号発生回路６が止まり基準動作信号Ｐ62は停止するがそのディレイ信号Ｐ83も同一レベルで停止するためヒゲ信号Ｐ84は "L"レベルに固定され、その結果INV83cとCMOSTr85a の制御によるコンデンサ87b への新たなチャージがされなくなり、充電されていた電荷は抵抗86b を介して放電する。結果として停止検出信号Ｐ81は上昇してゆき、そのレベルはロジカルＶthを越える。このタイミングt2が基準信号発生回路６の停止を検出したタイミングであり、この時ラッチ信号Ｐ88は "H"レベルから "L"レベルになる。またt2で "H"レベルになった停止検出信号Ｐ81は第２分周回路63は各分周段がカウントゼロにリセットされる。もちろん第２分周回路63の分周動作は停止している。
【００３９】
次にタイミングt3以降を説明する。基準動作信号Ｐ62が再び現れると、ディレイ信号Ｐ83、ヒゲ信号Ｐ84も現れ、CMOSTr85a の制御によりコンデンサ87b へのチャージが再開される。その結果停止検出信号Ｐ81の電位は下降し、やがてタイミングt4でロジカルＶthを切る。そこで基準信号発生回路６が正規動作を再開したことを検出したことになる。停止検出信号Ｐ81が "L"レベルに戻ったので第２分周回路63もリセット状態が解除されて動作を再開する。そして第２分周回路63がカウントを再開してから約１秒後に記憶タイミング信号Ｐ63（1/2Hz)が "L"レベルから "H"レベルになり、ラッチ信号Ｐ88はセットされて "L"レベルから "H"レベルとなる。そしてＤ-FF89aは入力端子CKへの信号の立ち上がり動作で "H"レベルを読み込むので、基準停止記憶信号Ｐ8 は "L"レベルから "H"レベルとなる。この時すなわちタイミングt5になって始めて基準信号発生回路６が停止したことの記憶が基準信号停止記憶回路８のＱ出力に現れる。
【００４０】
次にタイミングt6でリューズが引かれると、手動スイッチ回路からのリセット信号Ｐ20は "L"レベルから "H"レベルとなり、この信号は基準信号停止記憶回路8 に印加され、Ｄ-FF89aはリセットされて基準停止記憶信号Ｐ8 は "L"レベルに戻る。すなわちタイミングt6で停止があったという記憶は解除される。更にt7のタイミングでリューズが押し込まれるとリセット信号Ｐ20は "L"レベルになり、基準信号停止記憶回路8 は、再度基準信号発生回路6 の停止があればそれを検出し記憶できる初期状態に戻る。
【００４１】
図５は本実施の形態における、種々の信号とそれぞれに対応する駆動信号P15 とを対にして示した波形図である。各信号は通常１秒運針させる１秒ステップパルス信号P10 （１秒運針信号）、充電警告信号である２秒ステップパルスP11 （間隔40ｍｓの対のステップ駆動を２秒おきに反復する２秒ステップ運針信号）、停止警告信号である変則２秒ステップパルスP12 （間隔40ｍｓの対の駆動と間隔 250ｍｓの対の駆動を２秒おきに交互に行う変則２秒ステップ運針信号）、早送り信号P102（64Hz運針信号）である。それぞれに対応する駆動信号P15 は２極のパルスモータ17を駆動するため、モータ駆動回路15においてそれらの極性を交互に反転したものとされている。
【００４２】
図６は電源電圧が降下した後復帰する過程で、時計がどのような動作状態になるかを集約的に示した説明図で、（ａ）は低下した電圧がモータ停止するＶ2 以下には達したが、発振停止（基準信号停止）するＶ3 には達しなかった場合、（ｂ）は更に電圧が降下してＶ3 以下になった場合を示している。
【００４３】
（ａ）の場合、Ｖ1 に至るまでは通常の１秒運針、Ｖ1 を下回りV2に至るまでは充電警告表示、Ｖ2 以下ではモータ駆動が停止（表示停止）し、パルスモータ駆動停止記憶回路９が動作するが、カウンタによる現時刻の保存は行われている。充電が再開されても電圧がＶ4 に上昇するまでは同様である。電圧が上昇してＶ4 に達するとモータの早送り駆動により現表示時刻への復帰がなされる。モータ停止時間が長かった場合、早送りによる電力消費のため図示のように一時的な電圧降下があるが、それによって電圧が再びＶ2 を切ることがないよう、Ｖ4 の検出レベルには余裕を持たせてある。その後は充電警告表示（変調）を伴いながら現時刻を表示する。電圧がＶ1 を上回ると通常運針に戻る。
【００４４】
（ｂ）の場合、電圧がＶ2 に降下するまでの挙動は（ａ）の場合と同じである。電圧がＶ3 を下回ると時間基準の発振が停止し、基準信号停止記憶回路８の記憶部82がそれを記憶する。その後はクロックが消失して全回路が停止するので電力消費も電圧降下も殆どない。電圧がＶ3 以上に復活すると基準停止記憶信号Ｐ8 が出力される。信号Ｐ8 は経過時間と駆動パルスのカウントを禁止する（経過時間カウンタ105 のカウント中止制御を行う）ので、電圧がV4以上に戻ったとき早送り時刻復帰は行われない。そしてＰ8 は第２選択回路14に作用して停止警告信号Ｐ12を選択し、第３選択回路もその出力を選択するので、表示は変則２秒ステップ運針となる。この表示状態は電圧がＶ1 以上に戻っても持続される。
【００４５】
上に説明しなかった、本発明のその他の実施の形態の可能性について述べておく。（１）上述の実施の形態においては、充電不足による電源電圧降下の過程でモータ駆動はできなくなるが回路の発振停止には至らなかった場合も、回路の発振停止に至る電圧降下があった場合も、Ｖ4 検出回路101 の検出に基づくＶ4 という同じ電圧になったときに別途用意された早送り復活制御あるいは停止警告表示を行っているが、各々の場合の早送り復活制御あるいは停止警告表示のトリガーとなる電圧を異ならせても良い（例えば、充電不足による電源電圧降下の過程でモータ駆動はできなくなるが回路の発振停止には至らなかった場合はＶ1 で、回路の発振停止に至る電圧降下があった場合はＶ4 という様に、異なる電圧に）（２）パルスモータ停止の検出をコイルの誘起電圧を利用して行った。これによりシビアな停止検出ができるが、もっと簡便に、Ｖ4 検出回路の出力によってＶ4 以下の電圧になったときパルスモータを停止させ、パルスモータ停止記憶回路を動作させてもよい。このときはパルスモータはまだ動作の余裕を残すが、回路は簡素化される。（３）回路構成あるいは駆動波形は上述の実施の形態に限定されるものではない。例えば１秒信号、各警告信号、早送り信号にはそれぞれ最適な駆動波形（断続された波形など）を与えてもよい。（４）警告表示を変調された運針によってではなく、表示面上に固定されたマーク等を指針などで指示する方式とすること。（５）時刻表示あるいは警告表示をデジタル表示装置にて行うこと。この場合は表示を必ずしも早送りで復活させる必要はない。（６）太陽電池以外の自動巻発電（回転重錘式発電機による）などの他の充電手段を用いること。（７）これらの他、回路の原理的あるいは細部構成まで含め、あるいは併設される他の機能と関連させて様々な変更が可能である。
【００４６】
【発明の効果】
本発明においては、電源電圧降下の深度がモータ駆動を持続できなくなっても発振停止（基準信号停止）に至らなければ回路に保存させた時刻情報により電圧復活後に表示を正しい時刻に復帰させ、電圧降下の深度が発振停止に及んだときはもはや回路に正しい時刻情報は保存され得ないので回路が停止した事実を記憶しておき電圧復活後に停止警告表示を優先して行わせるようにしたから、充電式電子時計において使用者が時計の時刻合わせを行わねばならない事態を最小限に止めると共に、真に時刻合わせが必要な事態であるときはその情報を表示して使用者に確実に伝えるようにし、使用者にとって格段に便利で信頼できる充電式電子時計を提供することができた。更に請求項２に記載の発明のように充電警告表示機能を付加することにより、使用者の便宜を最大限に図った充電式電子時計を実現することができる。
【図面の簡単な説明】
【図１】本発明の実施の形態の一例のブロック図である。
【図２】上記の実施の形態における基準信号停止記憶回路の詳細図である。
【図３】上記の実施の形態におけるパルスモータ停止記憶回路の詳細図である。
【図４】上記の実施の形態における基準信号停止記憶回路の各部の電圧波形図である。
【図５】上記の実施の形態における種々の場合の駆動信号の波形図である。
【図６】上記の実施の形態における電源電圧降下の深度による時計状態の変化の違いを示す説明図で、（ａ）は降下した電圧がＶ3 に至らなかった合、（ｂ）は同じくＶ3 を下回った場合を示す。
【符号の説明】
３  蓄電器
５  時計装置
６  基準信号発生回路
７  Ｖ1 検出回路
８  基準信号停止記憶回路
９  パルスモータ停止記憶回路
１０  １秒信号発生回路
１１  充電警告信号発生回路
１２  停止警告信号発生回路
１５  モータ駆動回路
１７  パルスモータ
１８  運針表示装置
２０  手動スイッチ回路
１０１  Ｖ4 検出回路
１０２  早送り信号発生回路
１０５  経過時間カウンタ
１２０  優先動作選択手段
【図１】
0003816197.tif 000002
【図２】
0003816197.tif 000003
【図３】
0003816197.tif 000004
【図４】
0003816197.tif 000005
【図５】
0003816197.tif 000006
【図６】
0003816197.tif 000007